(57)【特許請求の範囲】
【請求項１】
側壁が漏斗状の外形を有して下部に糸底を形成した擂り鉢を周囲から包囲して収容し、擂り作業時に当該擂り鉢の動きを抑制する擂り鉢固定具であって、
前記擂り鉢固定具は、上部開口と下部開口を有する筒状体で構成されて前記擂り鉢の側壁の周囲を包囲する本体と、前記本体の前記下部開口に対応する内底部に設置されて前記擂り鉢の糸底を載置する台座とからなり、
前記本体は、
前記本体の前記上部開口の前記擂り鉢の前記側壁と当接する部分に設けた弾性材からなる上部開口すべり止め材と、
前記本体の前記下部開口の、擂り作業時の擂り鉢載置面に当接する部分に設けた弾性材からなる下部開口すべり止め材と、
前記本体に設けられて、当該本体の内側で前記擂り鉢の前記側壁と当接する前記上部開口すべり止め材を有する筒状体の上部材と、前記筒状体の上部材に対して軸方向に伸縮可能に挿通して前記擂り鉢載置面に当接する下部開口すべり止め材を有する筒状体の下部材と、前記筒状体の上部材と下部材を伸縮させて前記上部開口すべり止め材を前記擂り鉢の前記側壁と当接する位置で前記上部材と下部材を固定する固定手段を備えてなり、
前記上部材と下部材の前記固定手段は、前記上部材と前記下部材の重ね合わせ部分の前記上部材に形成した前記上部材の軸方向に長い縦溝側から前記下部材に設けたねじ孔に挿通するボルトネジと、前記下部材に通した前記ボルトネジにねじ込まれるネジ穴を有する摘みを有し、前記上部材と前記下部材の前記重ね合わせ部分の伸縮で調整して前記ボルトネジをねじ込む前記摘みの回動で前記下部材に固定された前記上部材の前記上部開口すべり止め材で前記擂り鉢の側壁を保持し、
前記台座は、
前記下部開口の内径より小径の弾性材からなり、前記本体とは分離して前記下部開口に対応する内底部に設置され、
前記台座を構成する弾性材の上側には上すべり止め材を有すると共に、前記弾性材の下側にも下すべり止め材を有し、その全体の外縁が前記本体の前記下部開口とは離間して設置されるものであり、
前記擂り作業時には、前記擂り鉢を前記本体に収容して、その糸底を前記台座に載置した状態で前記固定手段で固定された前記本体の前記上部材に有する前記上部開口すべり部材により前記擂り鉢の側壁を保持することを特徴とする擂り鉢固定具。
【請求項２】
請求項１において、
前記本体の前記下部開口の全周に、当該本体の外側に張り出した鍔状部を有し、
前記鍔状部の前記擂り鉢載置面と対向する面に前記下部開口すべり止め材を貼付してなり、
前記下部開口すべり止め材の前記本体側の端縁が、前記本体の内壁面から外側に後退して貼付されていることを特徴とする擂り鉢固定具。
【請求項３】
請求項１において、
前記上部開口すべり止め材を貼付する本体の端縁に、当該本体の上端全周に外側に張り出し、端部が前記張り出しの下方内側に曲がった湾曲部を有することを特徴とする擂り鉢固定具。
【発明の詳細な説明】
【技術分野】
【０００１】
本発明は、調理用の擂り鉢固定具に係り、擂り鉢を用いて食材の擂りおろし等の作業を行う際の当該擂り鉢の姿勢を安定させて一人での作業を可能とした擂り鉢固定具に関する。
【背景技術】
【０００２】
擂り鉢は、味噌や胡麻などの擂り潰し、自然薯などの根菜の擂りおろしに用いられる。調理に用いる擂り鉢は、漏斗状容器の外形を成し、内面（擂り壁）に略縦の多数の粗いきざみ目が形成されている。そして、漏斗状容器の底面には糸尻を有し、通常は土焼製である。この内面に擂粉木を当てつつ擂り回しすることで、味噌や胡麻などの食材を擂り潰し、あるいは自然薯などを直接擂り回して流動状に加工する。
【０００３】
擂りおろし作業時には、擂り壁に対する擂粉木や根菜の周回で漏斗状容器の糸尻がテーブル面あるいは床面（擂り鉢載置面）から傾斜して、その一部が浮き上がったり、横滑りしないように保持する必要がある。糸尻の浮き上がりによる擂り鉢の傾斜を抑え、横滑りなどを抑制して、安定した擂りおろし作業を行うには、作業をする者とは別の者に擂り鉢を支えてもらうか、床面を作業台として作業者が両足で挟んで抑えながら擂り回しを行う必要がある。
【０００４】
擂り鉢を支えるために他の者の助力を必要とせず、あるいは床面で両足での保持を回避するために、特許文献１は、十字形状の台座に擂り鉢の側壁を保持して固定する固定具を提案している。
【０００５】
特許文献２には、上下両面に滑り止め機能を付した基台の上面を擂り鉢受けとし、この基台に滑り止め付きの受け面を設けた保持部材を少なくとも２つ立設して、該基台に擂り鉢を載置すると共に当該擂り鉢の側壁に保持部を当設することで擂り鉢の動きを固定する擂り鉢固定具が開示されている。
【０００６】
特許文献３は、２枚の板を、その裏面となる部分に滑り止め兼用の連結部材で連結して台座とし、該台座の端部に擂り鉢の縁に係合するフックを設けた擂り鉢固定装置を開示する。
【先行技術文献】
【特許文献】
【０００７】
【特許文献１】実用新案登録第２５３６７５４号
【特許文献２】特開平１０−２７６９２０号公報
【特許文献３】特開２００３−３２５３６５号公報
【発明の概要】
【発明が解決しようとする課題】
【０００８】
前記従来技術では、台座あるいは基台に擂り鉢を固定することで、当該擂り鉢の傾きなどの不安定な動きを抑制しようとするものである。したがって、台座あるいは基台は擂り鉢の動きと一体になってその動きを受けることになる。擂り鉢での作業において、当該擂り鉢の内面である擂り壁にかかる力は、主としてその擂り壁を外側に押す方向にかかる。擂り壁は漏斗状であるため、擂り壁にかかる力は擂り鉢全体を傾斜させるように作用する。
【０００９】
擂り鉢が傾斜すると、台座あるいは基台も同時に傾斜し、テーブル面や床面との接触面積が減少し、擂り鉢が台座あるいは基台と共に移動し、台座あるいは基台に設けた滑り止めの機能が十分に発揮できなくなって、満足の行く擂り作業が困難となる畏れがある。
【００１０】
本発明の目的は、擂り鉢による擂り作業において擂り鉢の内壁にかかる当該擂り鉢を傾斜させる力や、擂り鉢を横移動させる力を抑制して、一人での擂り作業を可能にした擂り鉢固定具を提供することにある。
【課題を解決するための手段】
【００１１】
上記目的を達成するため、本発明の擂り鉢固定具は、側壁が漏斗状の外形を有して下部に糸底を形成した擂り鉢を周囲から包囲して収容し、擂り作業時に当該擂り鉢の傾斜や移動などの動きを抑制する構成とした。すなわち、本発明の擂り鉢固定具は、上部開口と下部開口を有する筒状体で構成されて前記擂り鉢の側壁の周囲を包囲する本体と、前記本体の前記下部開口に対応する内底部に設置されて前記擂り鉢の糸底を載置する台座とからなる。
【００１２】
そして、前記本体は、当該本体の前記上部開口の前記擂り鉢の側壁と当接する部分に設けた上部開口すべり止め材と、前記本体の下部開口にある擂り作業時の擂り鉢載置面に当接する部分に設けた下部開口すべり止め材と、前記本体に設けられて、当該本体の内側で前記擂り鉢の前記側壁と当接し、前記擂り鉢を前記本体に対して主として横方向の動きを保持する固定手段とで構成される。
【００１３】
また、前記台座は、前記本体の下部開口の内径より小径とした弾性材からなり、当該弾性材の上側には上すべり止め材またはすべり止め形状を有すると共に、下側にも下すべり止め材またはすべり止め形状を有し、その全体の外縁が前記本体の前記下部開口から離間して設置される。そして、擂り作業時には、前記擂り鉢を本体に収容して、その糸底を前記台座に載置した状態で前記の固定手段により前記擂り鉢の側壁を保持する。
【発明の効果】
【００１４】
擂り鉢固定具を構成する本体は、擂り鉢を収容して、その側壁を本体の上部開口と下部開口の中心部を通る軸方向に対して略９０度で交差する横方向に保持する。保持する位置は擂粉木が作用するすり壁より上方とする。本体に収容された擂り鉢の糸底は、前記本体とは構造的に（機械的に）分離された台座の上に載置される。すなわち、台座は本体に対してフリーな状態となっている。擂り鉢固定具と擂り鉢をこのような設置関係としたことで、擂り鉢の擂り作業時に当該擂り鉢の内壁（すり壁）に擂り棒（擂粉木）等による押圧で加わる横方向の力は固定手段で本体に伝わる。
【００１５】
このとき、本体の下部材に設けた下部開口すべり止めによる横方向の移動はある程度制限される。これに加えて、糸底を載置した台座は本体とは構造的に分離されていて、さらに糸底との間の上すべり材、作業面との間の下すべり止め材の存在で、台座は擂り鉢の横方向の動きをさらに抑制するように作用する。なお、本体による保持位置がスリ鉢の擂り壁の形成位置より上方としたことで、擂粉木による横方向の力の印加に起因するスリ鉢の傾斜は抑制される。
【図面の簡単な説明】
【００１６】
【図１】本発明に係る擂り鉢固定具の実施例１の構成を説明する一部破断して示す展開斜視図である。
【図２】本発明に係る実施例１の擂り鉢固定具の本体を構成する上部材と下部材の上下調整と固定構造を説明する要部断面図である。
【図３】本発明に係る実施例１の擂り鉢固定具を構成する上部材と下部材の固定手段の上下調整構造を説明する要部平面図である。
【図４】本発明に係る実施例１の擂り鉢固定具の上下調整構造を下部材側から見た要部平面図である。
【図５】本発明に係る擂り鉢固定具の実施例１の効果を説明する模式図である。
【図６】本発明に係る擂り鉢固定具の実施例１の効果を説明する図５と同様の模式図である。
【図７】本発明に係る擂り鉢固定具の実施例２の構成を説明する当該固定具の本体のみを示す展開斜視図である。
【図８】図７のＹ−Ｙ’線に沿った部分断面図である。
【図９】本発明に係る擂り鉢固定具の実施例１及び実施例２で説明した本発明に係る擂り鉢固定具の本体下部の要部変形例を説明する模式図である。
【図１０】本発明に係る擂り鉢固定具の実施例１及び実施例２で説明した本発明に係る擂り鉢固定具の本体の要部変形例を説明する模式図である。
【図１１】本発明に係る擂り鉢固定具の実施例１及び実施例２で説明した本発明に係る擂り鉢固定具の要部変形例を説明する模式図である。
【発明を実施するための形態】
【００１７】
以下、本発明の実施形態を実施例の図面を参照して詳細に説明する。
【実施例１】
【００１８】
図１は、本発明に係る擂り鉢固定具の実施例１の構成を説明する一部破断して示す展開斜視図である。なお、図１には擂り鉢３も示してある。本実施例の擂り鉢固定具は、本体１とこの本体１とは構造的（機械的）に分離した台座２とで構成される。本体１は上部開口と下部開口を有する筒状体で構成されている。すなわち、擂り鉢固定具は、擂り鉢３の側壁３１の周囲を包囲する本体１と、本体１の前記下部開口に対応する内底部に設置されて擂り鉢３の糸底３２を載置する台座２とからなる。本実施励における擂り鉢３は、一般的な家庭で広く使用されているサイズのもので、擂り鉢固定具はこのサイズの擂り鉢に使用するものとする。台座２として、厚みの異なるものを複数種用意するか、同じものを複数枚用意しておき、使用する擂り鉢のサイズに応じて種類または枚数を取捨選択するサイズ調整を行うようにすることもできる。
【００１９】
そして、本体１は、その上部開口の前記擂り鉢３の側壁３１と当接する部分に設けた上部開口すべり止め材１１ａを有する上部材１１と、本体１の下部開口の、擂り作業時の擂り鉢載置面（テーブル面や床面）に当接する部分に設けた下部開口すべり止め材１２ａを有する下部材１２と、本体１に設けられて、当該本体１の内側で前記擂り鉢３の側壁３１と当接する位置で前記上部材１１と下部材１２を固定する固定手段１３とで構成される。
【００２０】
また、台座２は、下部開口の内径より小径の弾性材からなり、当該弾性材２３の上側には上すべり止め材２１またはすべり止め形状を有すると共に、下側にも下すべり止め材２２またはすべり止め形状を有し、その全体の外縁が本体１の下部開口から離間して、本体１の下部開口の内径縁より、台座２の外形はＤだけ離間して設置されている。寸法Ｄについて、台座２の直径は、擂り鉢３の糸底３２が余裕を以って載置できる大きさとされ、本体１の下部開口の内径縁から最低でも１センチ程度離した方が望ましい。擂り鉢の糸底の直径が小さい場合にはこの離間間隔を大きくした台座とすることができる。擂り作業時には、擂り鉢３を本体１に収容して、その糸底３２を台座２に載置した状態で上部材１１と下部材１２の固定手段１３の調整により擂り鉢３の側壁３１を保持する。
【００２１】
本体１の上部材１１と下部材１２は、所謂はめ込み式で一体化されている。本実施例では、上部材１１の下部材１２側を構成する主要胴部１１ｂの外径が下部材１２の上部材１１側を構成する主要胴部１２ｂの内径より若干小さく（最低でも、はめ込み公差分小さく）されており、上部材１１の胴部が下部材１２の胴部１２ｂ中にはめ込まれている。
【００２２】
上部材１１と下部材１２は、図２−図４で後述するように、上部開口すべり止め材１１ａを擂り鉢３の側壁と当接させて保持するときに、下部材１２に対して上部材１１を本体の軸方向に上下させて調整を行い、上部材１１と下部材１２の固定手段１３の締め付けで固定される。固定部の位置は、擂り鉢３の内壁に形成したすり壁３３の上端またはそれより上方となる。
【００２３】
図２は、本発明に係る実施例１の擂り鉢固定具の本体を構成する上部材と下部材の上下調整と固定構造を説明する要部断面図である。図２は、図１に示した上部材１１と下部材１２の固定手段１３の詳細図であり、擂り鉢固定具の本体１を構成する上部材１１と下部材１２を固定手段１３で固定した状態を示す。図２において、本体１を構成する上部材１１と下部材１２は次のように固定される。
【００２４】
すなわち、擂り鉢固定具の本体１を作業台、たとえばテーブルの上に置き、その内底に台座２が敷かれた状態とする。本体１の下部材１２の下部開口すべり止め材１２ａは、台座２の下すべり止め材と共にテーブル面に載置した状態となる。
【００２５】
そして、固定手段１３を緩め、本体１の内部に擂り鉢３を収容し、その糸底３２を台座２の上すべり止め材２１に載置した状態で本体１の上部材１１を、その上部開口すべり止め材１１ａが擂り鉢３の側壁に当接するように上下させる。上部開口すべり止め材１１ａを擂り鉢３の側壁に正しく当接させた状態で、固定手段１３を締め付けて固定する。この当接位置は、上記したように、図１の擂り壁３３の位置又はそれより上方の位置となる。
【００２６】
図３は、本発明に係る実施例１の擂り鉢固定具を構成する上部材１１と下部材１２の固定手段１３の上下調整構造を説明する要部平面図である。擂り鉢固定具の本体１の上部材１１には縦溝１３ｄが形成されており、この縦溝１３ｄにボルトネジ１３ｂが当該縦溝を上下移動可能に挿通入されている。ボルトネジ１３ｂは下部材１２側から挿入される摘み１３ｃのネジ穴にねじ込まれて固定される。
【００２７】
図４は、本発明に係る実施例１の擂り鉢固定具の上下調整構造を下部材側から見た要部平面図である。図４において、摘み１３ｃを図の上方向Ｕに移動させると上部材１１の上部開口すべり止め材１１ａが擂り鉢３の側壁３１に近づき、摘み１３ｃを図の下方向Ｄに移動させると上部材１１の上部開口すべり止め材１１ａが擂り鉢３の側壁から離れる。摘み１３ｃを矢印Ｆ方向に回せばボルトネジ１３ｂ（図３）が締まって上部材１１と下部材１２を固定し、矢印Ｌ方向に回せばボルトネジ１３ｂは緩んで上部材１１が下部材１２に対して上下伸縮自在となる。上部材１１の上部開口すべり止め材を擂り鉢３の側壁に密接させた状態で摘み１３ｃを矢印Ｆ方向に回し、固定する。この状態で擂り鉢に食材を入れ、所要の作業を行う。
【００２８】
図５と図６は、本発明に係る擂り鉢固定具の実施例１の効果を説明する模式図である。図５において、擂り鉢固定具の台座２に擂り鉢３を載置し、本体１で固定保持する。前記したように、擂り鉢３と上部開口すべり止め材１１ａの接する位置（水平ラインＬ）は、出来るだけ擂り鉢３の開放端近傍とするのが望ましく、図１のすり壁３３の上端の位置より上の位置になるようにする。擂り鉢３と上部開口すべり止め材１１ａの接する位置を上記水平ラインＬよりも下側にすれば、擂り鉢が傾斜して擂り作業ができなくなることはない。
【００２９】
図５において、例えば、図示しない擂粉木で擂り作業を行う際を想定する。ここで、擂粉木が擂り鉢３の内壁で水平ラインＬよりも下部に図中矢印Ｆ１で示した力を加えたとき、その力の一つＦ２は本体１の下部開口すべり止め材１２ａでテーブル面に至る。下部開口すべり止め材１２ａとテーブル面の間の摩擦抵抗により、この力Ｆ２に抗する力−Ｆ３が生じる。
【００３０】
また、擂粉木による力Ｆ１は、上記力Ｆ１はすり鉢３の糸底３２に他の力Ｆ４としてかかる。この力Ｆ４に対し、擂り鉢３の糸底３２と台座２との摩擦抵抗により、力Ｆ４に抗する力−Ｆ５が生じる。この力−Ｆ５は台座２が本体１と独立であることから、本体１にかかる力Ｆ２に直接的に引きずられず、台座と本体とが一体となったものに比べて、力Ｆ４に対する有効な抗力となり、擂り鉢の動きを抑制するように作用する。
【００３１】
このように、すり鉢の内壁に印加される力Ｆ１に起因するすり鉢３の移動が本実施例の構造によって抑制される。力Ｆ１に起因して擂鉢をテーブル面上で水平方向に作用する移動力（Ｆ２＋Ｆ４）は、この力に抗する力の絶対値（Ｆ３＋Ｆ５）を超えない限りすり鉢を水平移動させることにはならない。そのためには、本体に取り付ける下部開口すべり止め材、台座２の上すべり止め材２１および下すべり止め材２２として、多数の突起、あるいは表面が大きく荒らしてすべり止め処理したゴム板、樹脂板などを用いる。
【００３２】
なお、本実施例では、台座２として、樹脂板、木板、あるいは金属板の基板２の表裏に上すべり止め材２１および下すべり止め材２２を貼り付けているが、これに限るものではなく、上すべり止め材２１と下すべり止め材２２を直接張り合わせるか、あるいは一枚のすべり止め板の表裏にすべり止処理を施したものとすることができるそして、さらに、これらの上すべり止め材２１と下すべり止め材２２は、本体１の上部開口すべり止め材１１ａ、下部開口すべり止め材１２ａを含めて、弾性材とすることが望ましい。
【００３３】
また、図６は低背のすり鉢３を用いる場合を説明するもので、擂鉢の買い替えでその高さが若干異なって以前に使用していたものより低背であった場合は、その擂鉢３の高さに合わせて本体１の上部材１１を下部材に対して降下した位置に固定する。このような場合の力の作用も図５と同様である。なお、買い替えた擂鉢の高さが以前の擂鉢よりも背が高い場合は、上記とは逆に、本体１の上部材１１を下部材１２に対して上昇した位置に固定する。
【００３４】
本実施例によれば、擂り鉢による擂り作業において擂り鉢の内壁にかかる当該擂り鉢を傾斜させる力や、横移動させる力を抑制して、一人での擂り作業を容易にした擂り鉢固定具を提供することができる。
【実施例２】
【００３５】
図７は、本発明に係る擂り鉢固定具の実施例２の構成を説明する当該固定具の本体のみを示す展開斜視図である。また、図８は、図７のＹ−Ｙ’線に沿った部分断面図である。実施例１を説明する図１−図６と同一符号は同一機能部分に対応する。
【００３６】
図７、図８に示したように、本実施例の擂り鉢固定具は、本体１とこの本体１とは構造的（機械的）に分離した台座２とで構成される。本体１は上部開口と下部開口を有する筒状体で構成されている。すなわち、擂り鉢固定具は、擂り鉢３の側壁３１の周囲を包囲する本体１と、本体１の前記下部開口に対応する内底部に設置されて擂り鉢３の糸底３２を載置する台座２とからなる。
【００３７】
本体１は、その上部開口の前記擂り鉢３の側壁３１と当接する部分に設けた上部開口すべり止め材１１ａと、本体１の下部開口の、擂り作業時の擂り鉢載置面（テーブル面や床面）に当接する部分に設けた下部開口すべり止め材１２ａと、本体１に設けられて、当該本体の内側で前記擂り鉢３の側壁３１と当接し、擂り鉢３を本体１に対して主として横方向の動きを保持する固定手段１３とで構成される。擂り鉢３の側壁３１と上部開口すべり止め材１１ａの当接位置は実施例１と同様である。
【００３８】
台座２は、下部開口の内径より小径の弾性材で構成したものからなり、当該弾性材の上側は上すべり止め材２１を構成し、下側に下すべり止め材２２を形成する。実施例１と同様に、基板の表裏にすべり防止機能を備えた弾性材を貼り合わせたものとしてもよい。台座全体の外縁は本体１の下部開口から離間して設置される。本体１の下部開口の内径縁より、台座２の外形はＤだけ離れている。この間隔設定の理由は実施例１で説明したとおりである。擂り作業時には、擂り鉢３を本体１に収容して、その糸底３２を台座２に載置した状態で固定手段１３により擂り鉢３の側壁３１を保持する。
【００３９】
実施例２の本体１は、共に一様な筒状の上部材１１を下部材１２にはめ込んで構成される点で実施例と異なる。しかしながら、この構成は実施例１と比較してより単純であるので、サイズの異なる擂鉢毎の固定具を安価に提供することができる。
【００４０】
図９は、実施例１及び実施例２で説明した本発明に係る擂り鉢固定具の本体下部の要部変形例を説明する模式図である。本体１は前記実施例１と２の何れかに対応する。実施例１及び実施例２では、本体１の擂り鉢載置面４に当接する部分（脚部）が内側に屈曲して鍔状としていたが、図９の（ａ）では、これとは逆の外側に略直角に屈曲した鍔状部１４１とした脚部１４ａとしている。そして、この鍔状部１４ａの下部には、下部開口すべり止め材１２ａが貼付されている。
【００４１】
この下部開口すべり止め材１２ａは鍔状部１４ａの下部全面ではなく、本体１の内側面から距離ｄだけ後退した位置に設置されている。このように構成することで、擂り作業中に本体１に載置面４方向にかかる押圧力Ｆｖで本体１が載置面方向に撓みクッション効果をもたらす。この撓みで、擂り鉢の擂り面の押圧に起因する横方向の力を軽減することができる。
【００４２】
図９の（ｂ）では、図９の（ａ）を発展させた構造であり、屈曲した鍔状部１４１の全周に本体１と連結した補強部１４２を設けて、本体１の下部全周にわたって強度を向上させて鍔状部１４ｂとした構造である。鍔状部１４１が載置面４と対向する底面の内外周端には図示したような段差を形成して、ここに下部開口すべり止め材１２ａの内外周端を折り曲げて貼付する。この構造によっても、擂り鉢をセットした本体が載置面４に押圧されてクッション効果がもたらされ、擂り鉢の擂り面の押圧に起因する横方向の力を軽減することができる。
【００４３】
図１０は、実施例１及び実施例２で説明した本発明に係る擂り鉢固定具の本体の要部変形例を説明する模式図である。図１０（ａ）は前記した実施例１に対応した変形例で、本体１の上部材１１の上端全周に外側に張り出して端部が張り出しの下方内側に曲がった湾曲部１５を形成してある。この湾曲を設けることで、上部材１１の強度が向上すると共に、作業者の手掛けまたは指掛けとなり、本体の持ち上げや移動を容易にするという効果を得ることができる。
【００４４】
また、本体１の下部材１２の下端全周に、外側に張り出した鍔状部が形成され、その端部が鍔状部の上方内側に曲がった湾曲部１６を形成してある。この湾曲部１６が載置面４と対向する面で、下部材１２の内壁面から距離ｄだけ後退した位置に下部開口すべり止め材１２ａが貼付されている。
【００４５】
図１０（ｂ）は前記した実施例２に対応した変形例で、本体１の上端全周に外側に張り出して端部が張り出しの下方内側に曲がった湾曲部１５を形成してある。この湾曲を設けることで、図１０（ａ）と同様に、上部材１１の強度が向上すると共に、作業者の手掛けまたは指掛けとなり、本体の持ち上げや移動を容易にする。
【００４６】
また、本体１の下端全周に外側に張り出した鍔状部に形成され、その端部が鍔状部の上方内側に曲がった湾曲部１６を形成してある。この湾曲部１６が載置面４と対向する面で、下部材１２の内壁面から距離ｄだけ後退した位置に下部開口すべり止め材１２ａが貼付されている。
【００４７】
図１０（ｃ）は、図１０（ａ）および図１０（ｂ）における湾曲部１６の作用を説明する要部図である。この湾曲部１６を設けることで、上部材１１の強度が向上すると共に、本体１が下向きの力を受けた場合に、距離ｄの部分で本体１の壁が載置面４方向に下降し、擂り鉢をセットした本体１が載置面に押圧されて密着し、載置面との固定力が増す。この構造によっても、擂り鉢の擂り面にかかる押圧力に起因する横方向の力を軽減することができる。
【００４８】
図１１は、実施例１及び実施例２で説明した本発明に係る擂り鉢固定具の要部変形例を説明する模式図である。図１１（ａ）は本体１の上端全周に外側に張り出して端部が張り出しの下方内側に曲がった湾曲部１５を示す。この湾曲部１５は前記図１０で説明したものと略同様な形状を有し、上部開口すべり止め材１１ａの貼付領域の全周に一対の突起条１７を形成してある。この一対の突起条１７の間に収まるように、上部開口の全周にわたって上部開口すべり止め材１１ａを貼付する。
【００４９】
図１１（ｂ）は本体１の下端全周の外側に張り出して端部が張り出しの下方内側に曲がって形成された鍔状部１６を示す。この鍔状部１６は前記図１０で説明したものと略同様な形状を有し、下部開口すべり止め材１２ａの貼付領域の全周に一対の突起条１８を形成してある。この一対の突起条１８の間に収まるように、下部開口の全周にわたって下部開口すべり止め材１２ａを貼付する。
【００５０】
このような構造としたことで、擂り鉢作業時の擂り鉢を安定的に保持でき、他の者の手助け無しで快適な擂り作業を行うことができる。なお、上記した各実施例、及び各変形例を任意に組み合わせることができることは言うまでもない。
【００５１】
上記した各実施例および各変形例における本体は、市販されている直径が所要のサイズの硬質樹脂の管体を切り出し、同じく市販の金具、ゴム材などを利用して製作できる。なお、台座２として厚みが異なるものを用意するか、同じ厚みのものを２−３枚用意しておき、擂り鉢のサイズに合わせるための微調整として取捨選択する使い方もできる。本発明によれば、低コストで使い勝手のよい擂り鉢固定具を提供できる。
【符号の説明】
【００５２】
１・・・擂り鉢固定具の本体、１１・・・上部材、１１ａ・・・上部開口すべり止め材、１１ｂ・・・上部材１１の下部材１２側を構成する主要胴部、１２ｂ・・・下部材１２の上部材１１側を構成する主要胴部、１２・・・下部材、１２ａ・・・下部開口すべり止め材、１３・・・上部材と下部材の固定手段、２・・・台座、２１・・・上すべり止め材、２２・・・下すべり止め材、２３・・・弾性材、３・・・擂り鉢、３１・・・側壁、３２・・・糸底、３３・・・すり壁、４・・・擂り鉢載置面。
【図１】
0005314109.tif 000002
【図２】
0005314109.tif 000003
【図３】
0005314109.tif 000004
【図４】
0005314109.tif 000005
【図５】
0005314109.tif 000006
【図６】
0005314109.tif 000007
【図７】
0005314109.tif 000008
【図８】
0005314109.tif 000009
【図９】
0005314109.tif 000010
【図１０】
0005314109.tif 000011
【図１１】
0005314109.tif 000012